(57)【要約】【課題】上りや下りの斜面で、切換える必要がなく、上り斜面では逆走を防止して歩き易く、下りの斜面ではそのまま滑降することができ、長時間歩行しても疲れない歩行用スキーを提供するものである。【解決手段】スキー板２の底面に凹部３を形成し、この凹部３の内側に駒４で形成されたストッパー５が設けられ、この駒４のスキー板２の進行方向側の端部は、軸７に回動自在に支持されていると共に、駒４の上部がコイルスプリング８により弾性的に支持されて、上り斜面ではストッパー５が突出して逆走を防止するようにした歩行用スキーである。【選択図】  図４
0003113771.tif 000002
【実用新案登録請求の範囲】
【請求項１】
スキー板の底面に凹部を形成し、この凹部の内側に、スキー板の進行方向と反対側の端部がスキー板の底面から弾性的に出没するストッパーを設けて、上り斜面での逆走を防止するようにしたことを特徴とする歩行用スキー。
【請求項２】
ストッパーが駒で形成され、この駒のスキー板の進行方向側の端部が凹部に回動自在に支持されていると共に、コイルスプリングまたはバネ板で弾性的に支持されて、駒のスキー板の進行方向と反対側の端部がスキー板の底面から弾性的に出没するようにしたことを特徴とする請求項１記載の歩行用スキー。
【考案の詳細な説明】
【技術分野】
【０００１】
本考案は、歩行用スキーに関するものである。
【背景技術】
【０００２】
近年、比較的低い山の中を歩行用スキーを履いて、歩行する歩くスキーが普及してきている。この歩行用スキーは、通常のゲレンデ用のスキー板よりも幅が狭く長さが短く軽量で、靴止め金具も大きく回動するように形成されていて、高齢者や子供が長時間歩行しても疲れない構造となっている。一般には雪が積もった遊歩道や林道など道に沿って歩くことが多いが、上りや下りの斜面が連続しており、下り斜面では滑降できるが、上り斜面では逆走しないようにエッジを立てて歩行しなければならず、長時間歩行すると疲れる問題があった。
【０００３】
このため、上り斜面を歩行する時に逆走しない歩行補助具も開発されている。この歩行補助具は、スキー板に取付けた基板に、複数の滑り止め部材を下駄の歯状に連結し、これをリンク機構を介して、基板に取付けたスライド部材に回動自在に連結して、上り斜面を歩行する時には、下駄の歯状の滑り止め部材を雪中に突き刺して歩行するようにしたものである（特許文献１）。
【０００４】
またスキー板の設置面に複数の貫通孔を開孔し、ばねヒンジにより、折り畳み時には滑走面と略同一面に納められ必要時にスリップ止め刃と横滑り止め刃が突出するようにした滑り止め付雪面歩行具も提案されている（特許文献２）。
【０００５】
しかしながら、この歩行補助具や滑り止め付雪面歩行具は、上りや下りの斜面で、それぞれ切換えて滑り止め部材を回動させなければならず、実用上極めて使いづらい欠点があった。
【特許文献１】特開平９−６７７号公報
【特許文献２】特開２００３−２９９７６３
【考案の開示】
【考案が解決しようとする課題】
【０００６】
本考案は上記問題を改善し、上りや下りの斜面で、切換える必要がなく、上り斜面では逆走を防止して歩き易く、下りの斜面ではそのまま滑降することができ、長時間歩行しても疲れない歩行用スキーを提供するものである。
【課題を解決するための手段】
【０００７】
本考案の請求項１記載の歩行用スキーは、スキー板の底面に凹部を形成し、この凹部の内側に、スキー板の進行方向と反対側の端部がスキー板の底面から弾性的に出没するストッパーを設けて、上り斜面での逆走を防止するようにしたことを特徴とするものである。
【０００８】
本考案の請求項２記載の歩行用スキーは、ストッパーが駒で形成され、この駒のスキー板の進行方向側の端部が凹部に回動自在に支持されていると共に、コイルスプリングまたはバネ板で弾性的に支持されて、駒のスキー板の進行方向と反対側の端部がスキー板の底面から弾性的に出没するようにしたことを特徴とするものである。
【考案の効果】
【０００９】
本考案に係る請求項１記載の歩行用スキーによれば、平面を走行する時や、下り斜面を滑降する時には、ストッパーは凹部内に押し込められ、走行や滑降が通常のスキーと同様にスムースに行なうことができる。上り斜面を歩行する時には、凹部から突出するように弾性的に支持されているストッパーの他端が雪に食い込む状態となって逆走を防止してスムースに歩行することができる。
【００１０】
また請求項２記載の歩行用スキーによれば、駒で形成されたストッパーが凹部に回動自在に支持されていると共に、コイルスプリングまたはバネ板で弾性的に支持されているので、上り斜面を走行する時に、駒がスキー板の底面から突出して逆走を確実に防止することができる。
【考案を実施するための最良の形態】
【００１１】
以下本考案の実施の一形態を図１ないし図４を参照して詳細に説明する。図において１は歩行用スキーで、スキー板２の底面には図２に示すように千鳥状に複数の凹部３が形成されている。この凹部３の内側には駒４で形成されたストッパー５が設けられている。この駒４は図３に示すように、先端側が円弧状に形成され後端側がエッジ状に形成されている。この駒４のスキー板２の進行方向側の端部は、軸７に回動自在に支持されていると共に、駒４の上部がコイルスプリング８により弾性的に支持されている。また図１に示すように、スキー板２の上面中間に靴取付け金具９が設けられ、ここにスキー靴１０が開閉自在に取付けられるようになっている。
【００１２】
上記構成の歩行用スキー１は、平面を走行する時や、図１に示すように下り斜面を滑降する時には、ストッパー５が雪１１により凹部３内に押し込められてコイルスプリング８が圧縮された状態になり、走行や滑降が通常のスキーと同様にスムースに行なうことができる。
【００１３】
上り斜面を歩行する時には、図４に示すように、足を交互に上げながら歩行するので、歩行用スキー１を斜面から上げると駒４がコイルスプリング８で押されてストッパー５の尖った下端が凹部３から突出し、スキー板２を下げると雪１１に食い込む状態となってストッパーが働き、逆走を防止することができる。このため上り斜面でも、スムースに歩行することができる。特にストッパー５が複数個取付けられているので、多数のストッパー５が作用して、逆走を確実に防止することができる。
【００１４】
図５ないし図７は本考案の他の実施の形態を示すもので、スキー板２の底面に千鳥状に複数の凹部３が形成され、この凹部３の内側にはスキー板２の進行方向前方にバネ板１２の一端がビス１３で固定され、バネ板１２の他端が前記凹部３から弾性的に突出するストッパー５が設けられている。
【００１５】
上記構成の歩行用スキー１は、平面を走行する時や図５に示すように、下り斜面を滑降する時には、ストッパー５のバネ板１２が進行前方の一端が固定されているので、バネ板１２は雪１１により凹部３内に押し込められ、走行や滑降が通常のスキーと同様にスムースに行なうことができる。
【００１６】
上り斜面を歩行する時には、図７に示すように歩行用スキー１が逆走しようとするので、凹部３から突出するように弾性的に支持されているストッパー５のバネ板１２の他端が雪１１に食い込む状態となってストッパーが働き、逆走を防止してスムースに上り斜面を歩行することができる。
【００１７】
なお上記説明ではストッパー５を取付ける凹部３を歩行用スキー１の底面に千鳥状に複数配置した場合について示したが、任意の位置に配置した構造でも良く、またストッパー５は１個取付けた構造でも良い。また駒を弾性的に支持するコイルスプリング８の代わりにバネ板を用いた構造でも良い。
【図面の簡単な説明】
【００１８】
【図１】本考案の実施の一形態による駒で形成したストッパーを取付けた歩行用スキーが下り斜面を滑降している状態を示す要部拡大断面図である。
【図２】図１の歩行用スキーの要部底面図である。
【図３】駒で形成したストッパーを示す斜視図である。
【図４】歩行用スキーが上り斜面を歩行している状態を示す要部拡大断面図である。
【図５】本考案の他の実施の形態によるバネ板で形成したストッパーを取付けた歩行用スキーが下り斜面を滑降している状態を示す要部拡大断面図である。
【図６】図５の歩行用スキーの要部底面図である。
【図７】図５の歩行用スキーが上り斜面を歩行している状態を示す要部拡大断面図である。
【符号の説明】
【００１９】
１    歩行用スキー                                          
２    スキー板                                              
３    凹部                                                  
４    駒                                                    
５    ストッパー                                            
７    軸                                                    
８    コイルスプリング                                      
９    靴取付け金具                                          
１０  スキー靴                                              
１１  雪                                                    
１２  バネ板                                                
１３  ビス    
【図１】
0003113771.tif 000003
【図２】
0003113771.tif 000004
【図３】
0003113771.tif 000005
【図４】
0003113771.tif 000006
【図５】
0003113771.tif 000007
【図６】
0003113771.tif 000008
【図７】
0003113771.tif 000009